(57)【要約】【課題】  手、足の動作時に生じる捻れからくる手関節から肘関節、足関節から膝関節までの筋肉、関節に起こる疲労、疼痛、ケガを予防、回復させる筋膜弛緩サポーターを提供する。【解決手段】  腕橈骨筋、長橈側手根伸筋、短橈側手根伸筋、尺側手根伸筋、指伸筋を覆う第一覆い部と、長母指外転筋、短母指伸筋、長母指伸筋、示指伸筋を覆う第二覆い部を有し、前腕の手関節位置から肘関節位置まで装着するサポーター本体と、一方の腕橈骨筋、長橈側手根伸筋、短橈側手根伸筋、尺側手根伸筋、指伸筋、を内側に絞り込む第一絞り帯と他方の長母指外転筋、短母指伸筋、長母指伸筋、示指伸筋を内側に絞り込む第二絞り帯と、前記第一絞り帯を任意の絞り位置で着脱可能に固定する第一固定手段と、前記第二絞り帯を任意の絞り位置で着脱可能に固定する第二固定手段により構成される。【選択図】  図１
2007119983.tif 000002
【特許請求の範囲】
【請求項１】
腕橈骨筋、長橈側手根伸筋、短橈側手根伸筋、尺側手根伸筋、指伸筋を覆う第一覆い部と長母指外転筋、短母指伸筋、長母指伸筋、示指伸筋を覆う第二覆い部と、補助部とにより構成され、前腕の手関節位置から肘関節位置まで装着するサポーター本体と、一方の腕橈骨筋、長橈側手根伸筋、短橈側手根伸筋、尺側手根伸筋、指伸筋を内側に絞り込む第一絞り帯と、他方の長母指外転筋、短母指伸筋、長母指伸筋、示指伸筋を内側に絞り込む第二絞り帯と、前記第一絞り帯を任意の絞り位置で着脱可能に固定する第一固定手段と、前記第二絞り帯を任意の絞り位置で着脱可能に固定する第二固定手段により構成される筋膜弛緩サポーター。
【請求項２】
橈骨と尺骨が交叉する位置を内側に絞り込む第三絞り帯と、前記第三絞り帯を任意の絞り位置で着脱可能に固定する第三固定手段を備えたことを特徴とする請求項１記載の筋膜弛緩サポーター。
【請求項３】
圧迫性の強い素材による筋圧迫手段を補助部に備えたことを特徴とする請求項１又は２記載の筋膜弛緩サポーター。
【請求項４】
腓腹筋、前脛骨筋、長腓骨筋、長指伸筋、ヒラメ筋を覆う第一覆い部と長母指伸筋、短腓骨筋、第三腓骨筋、上伸筋支帯、下伸筋支帯を覆う第二覆い部と、補助部とにより構成され、下腿部の足関節位置から膝関節位置まで装着するサポーター本体と、一方の腓腹筋、前脛骨筋、長腓骨筋、長指伸筋、ヒラメ筋を内側に絞り込む第一絞り帯と、他方の長母指伸筋、短腓骨筋、第三腓骨筋、上伸筋支帯、下伸筋支帯を内側に絞り込む第二絞り帯と、前記第一絞り帯を任意の絞り位置で着脱可能に固定する第一固定手段と、前記第二絞り帯を任意の絞り位置で着脱可能に固定する第二固定手段により構成される筋膜弛緩サポーター。
【請求項５】
踵骨腱と腓腹筋の結合する位置の前面部を内側に絞り込む第三絞り帯と、前記第三絞り帯を任意の絞り位置で着脱可能に固定する第三固定手段を備えたことを特徴とする請求項４記載の筋膜弛緩サポーター。
【請求項６】
圧迫性の強い素材による筋圧迫手段を補助部に備えたことを特徴とする請求項４又は５記載の筋膜弛緩サポーター。
【発明の詳細な説明】
【技術分野】
【０００１】  本発明は、筋肉、関節にかかる捻れによる圧力を開放し、筋肉、関節の疲労、疼痛、ケガを予防、回復させるための筋肉、筋膜を利用した筋膜弛緩サポーターに関するものである。
【背景技術】
【０００２】  従来、筋肉や関節が疲労または疼痛がある場合、湿布や包帯、全体を均等に押さえるサポーターがあった。
なお、トルマリンなどを繊維に練り込む構成により遠赤外線効果による保温サポーターなども知られている。
本発明を理解してもらうために、次の非特許文献を参照されたい。
【非特許文献１】著  河野邦雄、伊藤隆造、堺章  編  社団法人  東洋療法学校協会  文献名  解剖学  発行  医歯薬出版株式会社  Ｐ，８４  Ｐ，８７  Ｐ，９６  Ｐ，９８参照
【発明の開示】
【発明が解決しようとする課題】
【０００３】  手を使う動作をする際、母指は内側に捻れ、手関節から肘関節にかけての前腕は外側に捻れる。
そのために、次のような問題点があった。
手を使う動作をすると、前記のような捻れが起こるため手関節、肘関節に捻れによる負担がかかるため、疲労、疼痛、ケガが起こる。その際、湿布や包帯、全体を均等に押さえるサポーターが用いられていたが、手関節から肘関節までの筋肉、関節にかかる捻れの圧力が開放されないために疲労、疼痛が解消されなかった。
本発明は以上の問題点を解決しようとするものである。【０００４】  歩行の際、足は母指又は母指球に体重をかけ地面を蹴ることによって前に進む。その際、足関節から膝関節にかけての筋肉が疲労すると腓骨が外側に捻れを起こし、それに伴い脛骨も外側に捻れを起こす。
そのために、次のような問題点があった。
歩行などで前記のような捻れが起こり足関節、膝関節に捻れによる負担がかかるため疲労、疼痛、ケガが起こる。その際、湿布や包帯、全体を均等に押さえるサポーターが用いられていたが、足関節から膝関節までの筋肉、関節にかかる捻れの圧力が開放されないために疲労、疼痛が解消されなかった。
本発明は以上の問題点を解決しようとするものである。
【課題を解決するための手段】
【０００５】  腕橈骨筋、長橈側手根伸筋、短橈側手根伸筋、尺側手根伸筋、指伸筋を覆う第一覆い部と、長母指外転筋、短母指伸筋、長母指伸筋、示指伸筋を覆う第二覆い部を有し、前腕の手関節位置から肘関節位置まで装着するサポーター本体と、一方の腕橈骨筋、長橈側手根伸筋、短橈側手根伸筋、尺側手根伸筋、指伸筋、を内側に絞り込む第一絞り帯と他方の長母指外転筋、短母指伸筋、長母指伸筋、示指伸筋を内側に絞り込む第二絞り帯と、前記第一絞り帯を任意の絞り位置で着脱可能に固定する第一固定手段と、前記第二絞り帯を任意の絞り位置で着脱可能に固定する第二固定手段により構成される。【０００６】  腓腹筋、前脛骨筋、長腓骨筋、長指伸筋、ヒラメ筋を覆う第一覆い部と、長母指伸筋、短腓骨筋、第三腓骨筋、上伸筋支帯、下伸筋支帯を覆う第二覆い部を有し、下腿部の足関節位置から膝関節位置まで装着するサポーター本体と、一方の腓腹筋、前脛骨筋、長腓骨筋、長指伸筋、ヒラメ筋を内側に絞り込む第一絞り帯と、他方の長母指伸筋、短腓骨筋、第三腓骨筋、上伸筋支帯、下伸筋支帯を内側に絞り込む第二絞り帯と、前記第一絞り帯を任意の絞り位置で着脱可能に固定する第一固定手段と、前記第二絞り帯を任意の絞り位置で着脱可能に固定する第二固定手段により構成される。
【発明の効果】
【０００７】  本発明は、手、足の動作時に起こる筋肉、関節の捻れを逆方向に絞り込むことによって、筋肉、関節に起こる疲労、疼痛、ケガを持続的に予防、回復させる。
また、橈骨、尺骨の交叉する位置、踵骨腱と腓腹筋の結合する位置の前面部を内側に絞り込むことによってより効果的になる。
また、圧迫性の強い素材を補助部に使うことによってリンパ腺に圧力が加わり、リンパ液の流れが良くなりむくみの予防、回復をすることができる。
【発明を実施するための最良の形態】
【０００８】  以下、本発明の第一実施の形態について説明する。
本発明は、腕用のものである。
本発明は、サポーター本体と第一絞り帯と第二絞り帯と第三絞り帯と、各絞り帯を任意の絞り位置で着脱可能に固定する第一固定手段と第二固定手段と第三固定手段により構成される。
サポーター本体は、図１に示すように、腕橈骨筋、長橈側手根伸筋、短橈側手根伸筋、尺側手根伸筋、指伸筋を覆う第一覆い部と長母指外転筋、短母指伸筋、長母指伸筋、示指伸筋を覆う第二覆い部と補助部の部材を手関節位置から肘関節位置までを覆う形状となるように縫裁したものである。図においては、補助部と他の部材間で縫合部１０Ａで展開した図となっている。補助部としては、橈側手根屈筋、尺側手根屈筋、長掌筋、浅指屈筋を覆う形状となっている。
各部材は、従来サポーターに使用される伸縮性のあるものである。伸縮強度は、同一のものであっても良いが補助部が他の部材より強いものであることが望ましい。第一覆い部には、図１に示すように第一絞り帯と第三絞り帯が設けられている。第一絞り帯は、肘関節に近い位置に設けられた帯状のものである。また、端部裏面には面ファスナーが設けられている。第二絞り帯は、手関節に近い位置に設けられた帯状のものである。また、端部裏面には面ファスナーが設けられている。第三絞り帯は、橈骨と尺骨が交叉する位置に設けられた帯状のものである。また、端部裏面には面ファスナーが設けられている。各絞り帯は、別体を各覆い部に縫着したものであっても良いが、一体となるように裁断したものであってもよい。各絞り帯の面ファスナー対応した受け面ファスナーがサポーター本体に設けられている。この際、受け面ファスナーは各絞り帯を内側方向に絞り込む位置となる。
本発明は、以上の構成よりなる。
以下、使用方法について説明する。
サポーター本体に手、前腕を通し、第三絞り帯が前腕前面部の手関節と肘関節のちょうど中間点にくるようにし、手関節から肘関節までを覆うようにして装着する。次に、第一絞り帯を内側方向に任意の絞り位置まで絞り込み、第一固定手段としての面ファスナーをサポーター本体についている受け面ファスナーに固定する。次に、第二絞り帯を内側方向に任意の絞り位置まで絞り込み、第二固定手段としての面ファスナーをサポーター本体についている受け面フスナーに固定する。次に、第三絞り帯を内側方向に任意の絞り位置まで絞り込み、第三固定手段としての面ファスナーをサポーター本体についている受け面ファスナーに固定する。前記のように、第一絞り帯、第二絞り帯、第三絞り帯を内側方向に絞り込み固定することによって、手を使う動作をする際、母指が内側に捻れ、手関節から肘関節にかけての前腕が外側に捻れるという作用に対して手関節から肘関節までの筋肉、筋膜を押さえる作用が起こり、これにより内側方向に戻すことができるため、手を使う動作によって起こる筋肉、関節の疲労、疼痛、ケガを予防、回復することができる。【０００９】  以下、本発明の第二実施の形態について説明する。
本発明は、脚用のものである。
本発明は、サポーター本体と第一絞り帯と第二絞り帯と第三絞り帯と、各絞り帯を任意の絞り位置で着脱可能に固定する第一固定手段と第二固定手段と第三固定手段により構成される。
サポーター本体は、図５に示すように腓腹筋、前脛骨筋、長腓骨筋、長指伸筋、ヒラメ筋を覆う第一覆い部と、長母指伸筋、短腓骨筋、第三腓骨筋、上伸筋支帯、下伸筋支帯を覆う第二覆い部と補助部の部材を足関節から膝関節までを覆う形状となるように縫裁したものである。図においては、補助部と他の部材間で縫合部１０Ａで展開した図となっている。補助部としては、内側の腓腹筋、ヒラメ筋を覆う形状となっている。
各部材は、従来サポーターに使用される伸縮性のあるものである。伸縮強度は同一のものであってもよいが、補助部が他の部材より強いものであることが望ましい。第一覆い部には、図５に示すように第一絞り帯と第三絞り帯が設けられている。第一絞り帯は、膝関節に近い位置に設けられた帯状のものである。また、端部裏面には面ファスナーが設けられている。第二絞り帯は、足関節に近い位置に設けられた帯状のものである。また、端部裏面には面ファスナーが設けられている。第三絞り帯は、踵骨腱と腓腹筋が結合している部分の前面の位置に設けられた帯状のものである。また、端部裏面には面ファスナーが設けられている。各絞り帯は、別体を各覆い部に縫着したものであってもよいが、一体となるように裁断したものであってもよい。各絞り帯の面ファスナーに対応した受け面ファスナーがサポーター本体に設けられている。この際、受け面ファスナーは各絞り帯を内側方向に絞り込む位置となる。
本発明は、以上の構成よりなる。
以下、使用方法について説明する。
サポーター本体に足、下腿部を通し第三絞り帯が下腿部前面の足関節と膝関節のちょうど中間点で、脛骨上にくるようにし、足関節から膝関節までを覆うようにして装着する。次に、第一絞り帯を内側方向に任意の絞り位置まで絞り込み、第一固定手段としての面ファスナーをサポーター本体についている受け面ファスナーに固定する。次に、第二絞り帯を内側方向に任意の絞り位置まで絞り込み、第二固定手段としての面ファスナーをサポーター本体についている受け面ファスナーに固定する。次に、第三絞り帯を内側方向に任意の絞り位置まで絞り込み、第三固定手段としての面ファスナーをサポーター本体についている受け面ファスナーに固定する。前記のように、第一絞り帯、第二絞り帯、第三絞り帯を内側方向に絞り込み固定することのよって、歩行の際、足関節から膝関節にかけての筋肉が疲労すると腓骨が外側に捻れを起こし、それに伴い脛骨も外側に捻れを起こすという作用に対して足関節から膝関節までの筋肉、筋膜を押さえる作用が起こり、これにより内側方向に戻すことができるため腓骨、脛骨が外側に捻れるのを予防、回復することができ、足関節、膝関節に関わる筋肉、関節の疲労、疼痛、ケガを予防、回復することができる。【００１０】  上記、第一及び第二実施において以下のような事例も可能である。
各絞り帯は、各固定手段としての面ファスナーによってサポーター本体に固定されているが、サポーター本体についている受け面ファスナーは、サポーター本体の素材によっては無くてもよい。また、固定手段としてはフックとフック受け等の従来留め具として利用されたものであればよい。
各実施において、第一絞り帯、第二絞り帯があれば第三絞り帯が無くても発明の最低限の効果は得られる。また、各絞り帯は覆い部、補助部に形成されたものでもよいし、同様の位置に別部材として取り付けたものであってもよい。
各実施において、サポーター本体は第一覆い部、第二覆い部、補助部の３つの部材から構成されているが、１つのサポーターに第一覆い部、第二覆い部、補助部に分ける境界線を縫うことで、サポーター本体の素材の伸縮性を分割することができるので、１つのサポーターに縫い目をつけることで実施してもよい。
【図面の簡単な説明】
【００１１】
【図１】本発明第一実施の表面展開図
【図２】本発明第一実施の裏面展開図
【図３】本発明第一実施の前面装着図
【図４】本発明第一実施の後面装着図
【図５】本発明第二実施の表面展開図
【図６】本発明第二実施の裏面展開図
【図７】本発明第二実施の前面装着図
【図８】本発明第二実施の後面装着図
【符号の説明】
【００１２】    １  第一覆い部
２  第二覆い部
３  補助部
４  第一絞り帯
５  第二絞り帯
６  第三絞り帯
７Ａ、７Ｂ、７Ｃ  面ファスナー
８Ａ，８Ｂ、８Ｃ  受け面ファスナー
１０Ａ，１０Ｂ，１０Ｃ，１０Ｄ  縫合部
【図１】
2007119983.tif 000003
【図２】
2007119983.tif 000004
【図３】
2007119983.tif 000005
【図４】
2007119983.tif 000006
【図５】
2007119983.tif 000007
【図６】
2007119983.tif 000008
【図７】
2007119983.tif 000009
【図８】
2007119983.tif 000010